(57)【要約】【課題】  頭上部牽引式ルアーの頭下部に簡単な構成要素を追加することによって、鉛直下方へ作用する力を含むベクトル成分を発生させ、水圧を受けた際の潜行深度及び潜行速度を増加させるとともに、頭上部牽引式ルアーの形状、浮遊力、及び重心位置において、より自由度の高い設計を実現することを課題とする。【解決手段】  水圧を受けた際に、鉛直下方へ作用する力を含むベクトル成分を発生させることができる受圧面を有したアシストリップＡＬを頭上部牽引式ルアーの頭下部に設ける。【選択図】図１
2005261404.tif 000002
【特許請求の範囲】
【請求項１】
頭上部前端より後方にある任意の位置に牽引点Ｔ、任意の形状、体積、内部構造、材質、及び釣り針Ｈ、並びに任意の方式によるバランスウェイトを有する頭上部牽引式ルアーにおいて、水圧を受けた際に、鉛直下方へ作用する力ＦＣＹを含むベクトル成分を発生させることができる受圧面Ｃを有するアシストリップＡＬをその頭下部の任意の位置に備えた頭上部牽引式ルアー。
【発明の詳細な説明】
【技術分野】
【０００１】  本発明は釣り用及び漁業用ルアーに関するものであり、特に頭上部に牽引点を有した頭上部牽引式ルアーに関するものである。
【背景技術】
【０００２】  従来の頭上部牽引式ルアーは、図３に示す構成要素からなっていた。図３は、頭上部牽引式ルアーの頭上部受圧面Ａ及び頭下部受圧面Ｂに受ける水圧、水中抵抗、及び重心位置によって決定する、頭上部牽引式ルアーの水中におけるバランス姿勢の平面図を示すものである。【０００３】  図４はこのバランス姿勢における頭上部牽引式ルアーの頭部を拡大した平面図を示すものである。便宜上、頭上部受圧面Ａ及び頭下部受圧面Ｂがそれぞれ二次元平面であり、密度ρ、流量Ｑ、及び速度ｖを有する二次元水平水流ＦＦが、迎え角θＡを有する頭上部受圧面Ａ、及び迎え角θＢを有する頭下部受圧面Ｂに衝突したと仮定すると、それぞれの受圧面に対して垂直方向に作用する力ＦＡ及びＦＢは、【０００４】
【数１】
ＦＡ＝ρＱｖ  ｓｉｎθＡ
【０００５】
【数２】
ＦＢ＝ρＱｖ  ｓｉｎθＢ
【０００６】  となる。
従って、二次元水平水流ＦＦの方向に作用する力ＦＡＸ及びＦＢＸ、二次元水平水流ＦＦに対して直角方向、即ち鉛直下方に作用する鉛直下方力ＦＡＹ及び鉛直上方に作用する鉛直上方力ＦＢＹは、それぞれ
【０００７】
【数３】
ＦＡＸ＝ＦＡ  ｓｉｎθＡ＝ρＱｖ  ｓｉｎ２θＡ
【０００８】
【数４】
ＦＢＸ＝ＦＢ  ｓｉｎθＢ＝ρＱｖ  ｓｉｎ２θＢ
【０００９】
【数５】
ＦＡＹ＝ＦＡ  ｃｏｓθＡ＝ρＱｖ  ｓｉｎθＡ  ｃｏｓθＡ
【００１０】
【数６】
ＦＢＹ＝ＦＢ  ｃｏｓθＢ＝ρＱｖ  ｓｉｎθＢ  ｃｏｓθＢ
【００１１】  となる。
ここで便宜上、重力加速度、頭上部牽引式ルアーの質量、浮力、及び水中抵抗により頭上部牽引式ルアーが水中で潜行或いは浮上する力の鉛直方向成分を浮遊力、また牽引点Ｔに繋がれた釣り糸を介して頭上部牽引式ルアーが前方へと引かれる力の鉛直方向成分を牽引力と定義する。更にこれら浮遊力及び牽引力について、その鉛直上方成分を正、鉛直下方成分を負と定義すると、この頭上部牽引式ルアーは、鉛直下方力ＦＡＹ＞（鉛直上方力ＦＢＹ＋浮遊力＋牽引力）となる条件下において潜行し、鉛直下方力ＦＡＹ＜（鉛直上方力ＦＢＹ＋浮遊力＋牽引力）となる条件下において浮上する。
【発明の開示】
【発明が解決しようとする課題】
【００１２】  従来の頭上部牽引式ルアーにおいては、その潜行深度及び潜行速度を増加させるためには、数３、数４、数５、及び数６より、迎え角θＡを最適化し受圧面Ａを大きくすることによって鉛直下方力ＦＡＹを増大させる、迎え角θＢを最適化し受圧面Ｂを小さくすることによって鉛直上方力ＦＢＹを減少させる、及び水中抵抗を小さくし比重を大きくすることによって負の浮遊力を増大させるという解決手段があった。しかし、頭下部をｏ≦迎え角θＢ≦０．５πを有してなるものと定義すると、鉛直上方力ＦＢＹをゼロより小さくする事は不可能であり、また鉛直下方力ＦＡＹを増大させるためには特に頭上部牽引式ルアーの形状をその擬似対象である魚本来の形状に近くするという観点から、頭上部受圧面Ａの大きさや形状に制限されていた。このため、特に頭上部牽引式ルアーの比重を大きくして負の浮遊力を増大させるという手段に依存しがちであり、頭上部牽引式ルアーの形状及び浮遊力において、自由度の高い設計を行うことが困難であるという問題点があった。【００１３】  また頭上部牽引式ルアーの密度が淡水或いは海水のそれよりも小さいフローティングタイプの頭上部牽引式ルアーの場合、潜行開始時において鉛直下方力ＦＡＹ＞（鉛直上方力ＦＢＹ＋浮遊力＋牽引力）を満足するバランス姿勢を実現するためには、特にその重心位置に制限され、自由度の高い設計を行うことが困難であるという問題点があった。【００１４】  そこで本発明は、上記従来例における問題点を解決すべく、頭上部牽引式ルアーの頭下部に簡単な構成要素を追加することによって鉛直下方へ作用すベクトル成分を増大させ、潜行深度及び潜行速度を増加させるとともに、頭上部牽引式ルアーの形状、浮遊力、及び重心位置において、より自由度の高い設計を実現することを課題とする。
【課題を解決するための手段】
【００１５】  本発明は、頭上部牽引式ルアー頭下部の任意の位置において、水圧を受けた際に鉛直下方へ作用する力ＦＣＹを含むベクトル成分を発生させることができる受圧面Ｃを有するアシストリップＡＬを設けてなるものである。
【発明の効果】
【００１６】  アシストリップＡＬを備えることにより、水圧を受けた際に鉛直下方へ作用するベクトル成分が増大するため、容易に潜行深度及び潜行速度を増加させることが可能になるとともに、頭上部牽引式ルアーの形状、浮遊力、及び重心位置において、より自由度の高い設計を実現することが可能となる。
【発明を実施するための最良の形態】
【００１７】  図１はアシストリップＡＬを備えた頭上部牽引式ルアーの最良の形態を示す平面図で、頭上部受圧面Ａ、頭下部受圧面Ｂ、及びアシストリップＡＬ受圧面Ｃが受ける水圧、水中抵抗、及び重心位置によって決定する、水中におけるバランス姿勢の平面図を示すものである。【００１８】  図２はこのバランス姿勢におけるアシストリップを備えた頭上部牽引式ルアーの頭部を拡大した平面図である。便宜上、アシストリップＡＬ受圧面Ｃが二次元平面であり、密度ρ、流量Ｑ、及び速度ｖを有する二次元水平水流ＦＦが、迎え角θＣを有するアシストリップＡＬ受圧面Ｃに衝突したと仮定すると、アシストリップＡＬ受圧面Ｃに対して垂直方向に作用する力ＦＣは、【００１９】
【数７】
ＦＣ＝ρＱｖ  ｓｉｎθＣ
【００２０】  となる。
従って、二次元水平水流ＦＦの方向に作用する力ＦＣＸ、二次元水平水流ＦＦに対して直角方向、即ち鉛直下方に作用する鉛直下方力ＦＣＹは、それぞれ
【００２１】
【数８】
ＦＣＸ＝ＦＣ  ｓｉｎθＣ＝ρＱｖ  ｓｉｎ２θＣ
【００２２】
【数９】
ＦＣＹ＝ＦＣ  ｃｏｓθＣ＝ρＱｖ  ｓｉｎθＣ  ｃｏｓθＣ
【００２３】  となる。
即ち、０＜迎え角θＣ＜０．５πを有したアシストリップＡＬをルアー頭下部の任意の位置に備えることによって、新たな鉛直下方力ＦＣＹが発生する。この鉛直下方力ＦＣＹが鉛直下方力ＦＡＹに追加され、鉛直下方へ作用するベクトル成分が増大することによって、水圧を受けて潜行する際の潜行深度と潜行速度を増加させることが可能となる。このアシストリップＡＬを備えた頭上部牽引式ルアーは、（鉛直下方力ＦＡＹ＋鉛直下方力ＦＣＹ）＞（鉛直上方力ＦＢＹ＋浮遊力＋牽引力）となる条件下において潜行し、（鉛直下方力ＦＡＹ＋鉛直下方力ＦＣＹ）＜（鉛直上方力ＦＢＹ＋浮遊力＋牽引力）となる条件下において浮上する。従って頭上部牽引式ルアーの形状、浮遊力、及び重心位置において、より自由度の高い設計を行うことが可能となる。
【実施例】
【００２４】  図５はアシストリップＡＬを備えたフローティングタイプの頭上部牽引式ルアーの平面図で、その重心位置が後方にあり、水面Ｓから潜行を開始する際のバランス姿勢の一例を示したものである。後傾姿勢であるため水圧を受ける受圧面Ａの大きさが小さく、鉛直下方力ＦＡＹが減少してしまうが、アシストリップＡＬによって鉛直下方力ＦＣＹが発生するため、（鉛直下方力ＦＡＹ＋鉛直下方力ＦＣＹ）＞（鉛直上方力ＦＢＹ＋浮遊力＋牽引力）となる条件を満足する限り、潜行することが可能となる。従って、頭上部牽引式ルアーの重心位置において、より自由度の高い設計を行うことが可能となる。【００２５】  図６はアシストリップＡＬを備えた頭上部牽引式ルアーの水中におけるバランス姿勢を示す平面図で、大きな鉛直下方力ＦＡＹを発生させないような形状の頭上部受圧面Ａを有する一例を示したものである。アシストリップＡＬによって鉛直下方力ＦＣＹが発生するため、（鉛直下方力ＦＡＹ＋鉛直下方力ＦＣＹ）＞（鉛直上方力ＦＢＹ＋浮遊力＋牽引力）となる条件を満足する限り、潜行することが可能となる。【００２６】  頭上部牽引式ルアーの密度が淡水或いは海水のそれよりも大きいシンキングタイプの頭上部牽引式ルアーの場合にあっても、その頭下部にアシストリップＡＬを備えることによって、新たに鉛直下方力ＦＣＹが加わるため、水圧を受けて潜行する際の潜行深度及び潜行速度を更に増加させることが可能となる。【００２７】  図７はアシストリップＡＬを備えた頭上部牽引式ルアーの平面図で、アシストリップＡＬを魚の下顎の形状に擬似させた一例を示したものである。擬似対象となる魚種によっては、より本来の魚の姿に近いルアーを製造することが可能となる。
【産業上の利用可能性】
【００２８】  任意の材質を用いて製造する頭上部牽引式ルアーにおいて、その製造段階で成形型を必要とするものや削りだし成形のように成形型を必要としないもの等、その製造方法や製造工程に関係なく、頭下部にアシストリップを組み込むことが可能である。
【図面の簡単な説明】
【００２９】
【図１】  本発明であるアシストリップＡＬを備えた頭上部牽引式ルアーの最良の形態を示す平面図である。
【図２】  本発明であるアシストリップＡＬを備えた頭上部牽引式ルアーの最良の形態を示す平面図で、その頭部を拡大したものである。
【図３】  従来の頭上部牽引式ルアーの実施形態を示す平面図である。
【図４】  従来の頭上部牽引式ルアーの実施形態を示す平面図で、その頭部を拡大したものである。
【図５】  本発明であるアシストリップＡＬを備えたフローティングタイプの頭上部牽引式ルアーの実施形態を示す平面図で、その重心位置が後方にあり水面Ｓから潜行を開始する際のバランス姿勢を示した一例である。
【図６】  本発明であるアシストリップＡＬを備えた頭上部牽引式ルアーの実施形態を示す平面図で、大きな鉛直下方力ＦＡＹを発生させないような形状の頭上部受圧面Ａを有するものの一例である。
【図７】  本発明であるアシストリップＡＬを備えた頭上部牽引式ルアーの実施形態を示す平面図で、アシストリップＡＬの形状を魚の下顎の形状に擬似させたものの一例である。
【符号の説明】
【００３０】ＡＬ      アシストリップ
ＦＦ      二次元水平水流
Ａ        頭上部受圧面
Ｂ        頭下部受圧面
Ｃ        アシストリップＡＬ受圧面
Ｔ        牽引点
Ｈ        釣り針
Ｓ        水面
ＦＡ      頭上部受圧面Ａに対して垂直方向に作用する力
ＦＢ      頭下部受圧面Ｂに対して垂直方向に作用する力
ＦＣ      アシストリップＡＬ受圧面Ｃに対して垂直方向に作用する力
ＦＡＸ    頭上部受圧面Ａにおいて二次元水平水流ＦＦの方向に作用する力
ＦＢＸ    頭下部受圧面Ｂにおいて二次元水平水流ＦＦの方向に作用する力
ＦＣＸ    アシストリップＡＬ受圧面Ｃにおいて二次元水平水流ＦＦの方向に作用する力
ＦＡＹ    頭上部受圧面Ａにおいて二次元水平水流ＦＦに対して直角方向、即ち鉛直下方に作用する力
ＦＢＹ    頭下部受圧面Ｂにおいて二次元水平水流ＦＦに対して直角方向、即ち鉛直上方に作用する力
ＦＣＹ    アシストリップＡＬ受圧面Ｃにおいて二次元水平水流ＦＦに対して直角方向、即ち鉛直下方に作用する力
θＡ      頭上部受圧面Ａの迎え角
θＢ      頭下部受圧面Ｂの迎え角
θＣ      アシストリップＡＬ受圧面Ｃの迎え角
【図１】
2005261404.tif 000003
【図２】
2005261404.tif 000004
【図３】
2005261404.tif 000005
【図４】
2005261404.tif 000006
【図５】
2005261404.tif 000007
【図６】
2005261404.tif 000008
【図７】
2005261404.tif 000009